(57)【要約】      （修正有）【課題】プランター素材として最適な屋根瓦を選択し、且つその屋根瓦同士を固定するための接着材に特徴を有することで、デザイン面における独自性だけではなく、環境に優しく、且つ植物栽培に必要な特性を持つプランター、およびそれを用いたベランダ用プランターを提供する。【解決手段】本考案に係るプランターは、複数の赤瓦より構成される側面部１と、上記側面部の底部を成す底面部３とを備え、上記複数の赤瓦を接着するための接着剤として漆喰２を使用することを特徴とするものである。【選択図】図１
0003202450.tif 000002
【実用新案登録請求の範囲】
【請求項１】
複数の赤瓦より構成される側面部と、
上記側面部の底部を成す底面部と、
を備え、
上記複数の赤瓦を接着するための接着剤として漆喰を使用する
ことを特徴とするプランター。
【請求項２】
上記複数の赤瓦は、雄瓦と雌瓦を含む
ことを特徴とする請求項１に記載のプランター。
【請求項３】
上記底面部上に保水材を設けた
ことを特徴とする請求項１または２に記載のプランター。
【請求項４】
上記側面部にフックを通すための穴を設けた
ことを特徴とする請求項１から３のいずれかに記載のプランター。
【請求項５】
赤瓦を構成する土を焼成することにより形成されるプランター本体と、
当該プランター本体に、漆喰を用いて装飾を施した
ことを特徴とするプランター。
【請求項６】
請求項１から５のいずれかに記載のプランターを枠材に取り付けた
ことを特徴とするベランダ用プランター。
【請求項７】
自然木の側面カバーとして使用されるプランターであって、
複数の赤瓦より構成される側面部を備え、
上記複数の赤瓦を接着するための接着剤として漆喰を使用する
ことを特徴とするプランター。
【考案の詳細な説明】
【技術分野】
【０００１】
本考案は、植物を栽培するためのプランターに関するものであり、特に、沖縄で長く屋根瓦として使用されている赤瓦を用いたプランターに関するものである。
【背景技術】
【０００２】
プランターは、植物を栽培するための容器であると同時に、近年においては、プランター自身のデザインを楽しむ目的でも使用されている。すなわち、栽培する植物や、設置する場所に適したデザインを持つプランターが選ばれるため、多種多様な形状やデザインを持つプランターが製作されている。
【０００３】
プランターの素材に関しても多様化が進んでいる。従来から使用されているプラスチックや素焼き、陶器、木材等に加えて、ＰＶＣといった高級なプラスチック素材やファイバーグラス等の新素材も用いられるようになった。
【０００４】
一方で、プランターに用いられていない素材も数多くあり、今後は、さらに多様な素材がプランターとして使用されることが期待されている。
例えば、日本においては、古くから各地方において、異なった土壌を成分とする様々な屋根瓦が生産されてきた。しかしながら、屋根瓦を利用したプランターはほとんど例がなく、屋根瓦を屋上用プランターの揚水管の充填素材として用いた例がある程度である（例えば、特許文献１）。
【先行技術文献】
【特許文献】
【０００５】
【特許文献１】特開２００８−２４５５７０号
【考案の概要】
【考案が解決しようとする課題】
【０００６】
屋根瓦は日本独特の風合いを有し、プランター素材として意外性を与えると同時に、アンティークな雰囲気を醸し出すことができる。
しかしながら、どのような屋根瓦でもプランターの素材として適するわけではなく、様々な屋根瓦からプランターに適する瓦を選択する必要がある。
【０００７】
本考案は上記の課題を解決するためになされたものであり、プランター素材として最適な屋根瓦を選択し、且つその屋根瓦同士を固定するための接着材に特徴を有することで、デザイン面での独自性だけではなく、植物栽培に必要な特性を持つプランターを提供するものである。
【課題を解決するための手段】
【０００８】
本考案の請求項１に係るプランターは、複数の赤瓦より構成される側面部と、上記側面部の底部を成す底面部とを備え、上記複数の赤瓦を接着するための接着剤として漆喰を使用することを特徴とする。
【０００９】
本考案の請求項２に係るプランターは、上記複数の赤瓦が、雄瓦と雌瓦を含むことを特徴とする。
【００１０】
本考案の請求項３に係るプランターは、底面部上に保水材を設けたことを特徴とする。
【００１１】
本考案の請求項４に係るプランターは、上記側面部にフックを通すための穴を設けたことを特徴とする。
【００１２】
本考案の請求項５に係るプランターは、赤瓦を構成する土を焼成することにより形成されるプランター本体と、当該プランター本体に、漆喰を用いて装飾を施したことを特徴とする。
【００１３】
本考案の請求項６に係るベランダ用プランターは、上記のプランターを枠材に取り付けたことを特徴とする。
【００１４】
本考案の請求項７に係るプランターは、自然木の側面カバーとして使用されるプランターであり、複数の赤瓦より構成される側面部を備え、上記複数の赤瓦を接着するための接着剤として漆喰を使用することを特徴とする。
【考案の効果】
【００１５】
本考案は上記のように構成されているため、赤瓦と漆喰により得られる沖縄独特の色彩が植物と良くマッチし、優れたデザインのプランターを提供することができる。
また、赤瓦の持つ高い断熱性により、保温性を高めることが可能であり、屋外における植物の栽培にも適している。
さらに、赤瓦は高い通気性を有することも植物の健全な生育に適している。
また、漆喰を接着剤として使用することで、構造上の高い耐久性が得られる。
そして、沖縄の土壌が素材であるため、化学素材に比べて安全性が高く、また、植物に対して低ストレス素材であるため、植え替え時にも、植え替えストレスを与えることなく、植物の栽培を行うことができる。
【００１６】
また、本考案のプランターは、環境に優しいという重要な特長も有している。プランターの素材は土であるため、廃棄する際には、地中に埋めてやるなどすれば、やがて自然に還元される。また、沖縄には使用されなくなった数多くの赤瓦が保管、あるいは放置されており、そういった使用済みの赤瓦を再利用してプランターを作製することも可能である。
【図面の簡単な説明】
【００１７】
【図１】本考案に係るプランターの斜視図である。
【図２】本考案に係るプランターの前面図である。
【図３】本考案に係るプランターの側面部を構成する赤瓦の斜視図である。
【図４】本考案に係る別のプランターの斜視図である。
【図５】本考案に係るさらに別のプランターの斜視図である。
【図６】本考案の実施の形態２に係るベランダ用プランターの正面模式図である。
【考案を実施するための形態】
【００１８】
実施の形態１．
本考案に係るプランターの構成およびその特徴等に関して、以下において、図面を用いて説明する。なお、以下の説明は本考案に関する良好な一例を開示するものであり、本考案が当該実施の形態に限定されるものではない。例えば、プランターの形状やデザイン、大きさ等は、本実施の形態に記載されたものに限定されるものではない。
なお、プランターとは、草花や農作物等を栽培する容器であり、あるいは、花等を生けるための容器である。
【００１９】
＜プランターの構成例＞
図１は、本考案に係るプランターの斜視図であり、図２は前面図である。図１および図２に示すように、プランターは、複数の赤瓦より構成される側面部１と、この側面部の底部を成す底面部３とから構成される。そして、複数の赤瓦を接着するための接着剤として漆喰２が用いられている。プランターの大きさは、奥行きが約１３０ｍｍ、横幅が約２３０ｍｍ、高さが約２４０ｍｍであり、内容量は約１，２リットルである。
【００２０】
赤瓦は、琉球王国時代から長く使用されてきた伝統的な瓦であり、現在でも広く使用される沖縄独自の屋根瓦である。沖縄の土をそのまま焼いた素焼き瓦であり、土自身の色合いで、独特の風合いを持つ赤色を示す。図３に示すように、赤瓦には、基本的に２種類の異なる形状の瓦がある。曲率の大きな丸瓦である雄瓦（ウーガーラ）１１と、曲率の小さな平瓦である雌瓦（ミーガーラ）である。
【００２１】
雄瓦１１と雌瓦１２とは、漆喰２により接着される。漆喰は、水酸化カルシウムと炭酸カルシウムを主成分とし、二酸化炭素を吸収することで硬化する気硬性の素材である。漆喰の白色と赤瓦の赤色とは、植物の緑と良く調和するカラーコーディネーションである。漆喰は、琉球漆喰の他、本漆喰や土佐漆喰や既調合漆喰であっても良い。
【００２２】
さらに強度を高めるために、ワイヤーや補助具を用いて、赤瓦同士を固定するようにしても良い。この場合、プランターの独特のデザインを損なわないように、ワイヤーや補助具は外部から見えない位置に設ける方が良い。また、接着剤としては基本的に漆喰を用いるが、補助的にその他の接着剤を併用しても良い。
【００２３】
底面部３は、外部から視認できない位置にあるため、赤瓦に限らず、プラスチック等どのような材質を用いても良い。例えば、底面部３として網を用い、網に漆喰を塗るようにすれば、底面部３も含めて統一した風合いのデザインが得られる。
側面部１には、フック５を通す穴４が設けられていても良い。穴４を設けることで、フック５等を用いて、壁掛け用プランターとして使用できる。
また、底面部３上にスポンジ等の保水材を置き、保水性を高めるようにして使用しても良い。
【００２４】
図１および図２に示したプランターは、雄瓦１１と雌瓦１２とを組合せたものであり、このように曲率の違う２種類の異なる赤瓦を組合せることで、極めて容易にプランターを作製することが可能である。なお、赤瓦は、必要に応じて、カッター等により最適な大きさに切削加工を行っても良い。
なお、雄瓦１１と雌瓦１２だけではなく、ヒジ瓦や花瓦等のその他の形状の瓦を組合せても良い。
【００２５】
図４および図５は、プランターの別の例である。図４のプランターは、２枚の雌瓦１２を組合せたものであり、図５のプランターは、雄瓦１１と雌瓦１２を切削加工した複数の赤瓦を組合せて作製したものである。
このように、複数の赤瓦を使用して、様々な形状のプランターを作製することができる。
【００２６】
なお、以上に示したように赤瓦を用いてプランターを作製するのではなく、赤瓦を構成する土を焼成することによりプランター本体を作製し、このプランター本体に漆喰を用いて装飾を施すことでも、同様なプランターを作製することができる。
【００２７】
＜プランターの特長＞
沖縄の土を焼成して作製される赤瓦は自然な赤色を示し、漆喰の白と組み合わせることにより、植物の緑と調和する独特の風合いを持つプランターが得られる。このように、外観上の美しさはプランターとして大きな特長である。
【００２８】
また、赤瓦は自然土であり、容易に塗料等が定着するため、表面に文字や絵を描くことも可能であり、プランターのデザイン性をさらに向上させたり、メッセージ性を持たせることもできる。例えば、沖縄の観光地においてプランターを使用する際には、プランターの表面に、観光客を歓迎するメッセージや、魔除けとして有名なシーサーを描くことで、地域に適したプランターとしての利用も可能である。
【００２９】
このような外観上の美しさ等だけではなく、植物を育てるために必要な特質、すなわちプランターが本来要求される特質に関しても、本考案のプランターは優れたものである。
赤瓦は、高い断熱性と高い通気性を有し、プランターとして最適な材料特性を有している。高い断熱性を持つため、屋外で使用するプランターにも適しているし、高い通気性を持つことで根の健全な発育を促すことができる。
また、赤瓦は原材料が自然土であるため、植物と相性がよく、例えば、植物を植え替えた際にも、直ぐに植物がプランターに馴染み、植え替えストレスを抑制できる。
【００３０】
漆喰を接着剤として使用することで、デザイン面で大きな特長を示すことは前述したとおりであるが、プランターの構造上の強度を高めるという実質的で重要な効果もある。漆喰は、赤瓦の接着剤として沖縄において使用されてきた。毎年、大きな台風に見舞われる沖縄においては、屋根瓦が飛ぶなどの被害が生じないように、漆喰を用いて赤瓦同士を接着して使用してきた。したがって、赤瓦を漆喰で接着することで、高い構造上の強度が得られ、また、長期間に渡って接着力が保たれるという長期的な信頼性が得られることは、沖縄の家屋において実証されている。
【００３１】
さらに、漆喰は、ショックハウス症候群の要因であるホルムアルデヒトを吸収する優れた性質を持つため、プランターを室内で使用することでショックハウス症候群の予防効果が得られる。
【００３２】
また、本考案のプランターは、環境に優しいという重要な特長も有している。プランターの素材は土であるため、廃棄する際には、地中に埋めてやるなどすれば、やがて自然に還元される。また、沖縄には使用されなくなった数多くの赤瓦が保管、あるいは放置されており、そういった使用済みの赤瓦を再利用してプランターを作製することも可能である。
【００３３】
実施の形態２．
実施の形態１で示したプランターを枠材に取り付けることによって、ベランダ用プランターとして使用することができる。
図６は一例であり、枠材６にプランター７や８を取付けている。
枠材６は、プランターとの風合いを合せるために、木製のものが適切である。あるいは、表面を木製調にした樹脂の枠材であっても良い。
プランター７や８の枠材６への取付けは、金具や針金、接着剤等を用いる。あるいは、フックを用いて、吊下げられるようにしても良い。
【００３４】
このように、枠材を用いたプランターは、ベランダに設置することにより、窓辺を美しく飾ることができる。また、日差しを遮ることで、部屋内への直射日光の侵入や温度上昇を緩和することができる。
【００３５】
実施の形態３．
プランターを自然木の側面カバーとして利用することができる。この場合、プランターは、複数の赤瓦より構成される側面部を備え、この複数の赤瓦を接着するための接着剤として漆喰が使用される。実施の形態１に示したプランターと異なり、底面部は設けない。
【００３６】
例えば、雌瓦を複数枚使用して作製した円筒状のプランターを自然木の根元を囲むように設置する。
これにより、重要な根の部分の保温性を高め、自然木の健全な成長を促すことができる。
さらに、外観上は、自然木がプランターに植えられているように見えるため、見る者に意外感を与えることができる。
【符号の説明】
【００３７】
１  側面部
１１  雄瓦
１２  雌瓦
２  漆喰
３  底面部
４  穴
５  フック
６  枠材
７、８  プランター
【図１】
0003202450.tif 000003
【図２】
0003202450.tif 000004
【図３】
0003202450.tif 000005
【図４】
0003202450.tif 000006
【図５】
0003202450.tif 000007
【図６】
0003202450.tif 000008